(57)【特許請求の範囲】
【請求項１】
手の一部の指を印刷指として当該印刷指の爪部にネイル印刷を施すネイルプリント装置において、
印刷指を受け入れて当該印刷指の指先部を所定の位置に保持する印刷指位置決め部と、
前記印刷指位置決め部の両脇に設けられ、当該印刷指位置決め部によって前記印刷指を保持する際に当該印刷指に係る手における非印刷指を伸ばしたままの状態で受け入れ可能な非印刷指受入部と、
前記印刷指位置決め部及び前記非印刷指受入部に受け入れられた指の少なくとも指先部を載置する載置部と、
を備えていることを特徴とするネイルプリント装置。
【請求項２】
前記載置部には、上下に貫通し下方から印刷指である親指を挿通可能で且つ挿通した当該親指を前記印刷指位置決め部にて保持可能とする位置に親指通し部が形成され、
前記載置部の下方には、前記印刷指位置決め部によって前記印刷指を保持する際に、当該印刷指に係る手における非印刷指を受け入れ可能な他の非印刷指受入部が形成されていることを特徴とする請求項１に記載のネイルプリント装置。
【請求項３】
前記載置部は、指先部が載置される載置板と、指の付け根部又は根元部が載置される載置バーとを備え、前記載置板と前記載置バーとの間に前記親指通し部が形成されていることを特徴とする請求項２に記載のネイルプリント装置。
【発明の詳細な説明】
【技術分野】
【０００１】
本発明は、ネイルプリント装置に関するものである。
【背景技術】
【０００２】
ネイルプリント装置としては、例えば、印刷しようとする爪部に対応する指（印刷指）を、装置本体に設けた載置部に位置決めし、この位置決めした指の爪部に絵柄等の画像を印刷するものがある（例えば、特許文献１参照）。
【先行技術文献】
【特許文献】
【０００３】
【特許文献１】特開２０００−１９４８３８号公報
【発明の概要】
【発明が解決しようとする課題】
【０００４】
しかしながら、上記特許文献１のようなネイルプリント装置においては、印刷指以外の指（非印刷指）を印刷処理の際にネイルプリント装置のケース本体の前面に置くように構成されているため、非印刷指が窮屈であり、また、非印刷指がケース本体の前面に押し付けられる場合には圧迫感を生じさせる。
また一方で、印刷処理中に非印刷指がケース本体の前面に押し付けられないとすれば、印刷処理中に印刷指を所定位置に保持しておくことが難しい。
【０００５】
本発明は、このような問題点に鑑みなされたものであり、印刷指を所定位置に保持しておくことが容易で、且つ、非印刷指に過度な負担が作用しないネイルプリント装置を提供することを目的とするものである。
【課題を解決するための手段】
【０００６】
本発明に係る発明は、
手の一部の指を印刷指として当該印刷指の爪部にネイル印刷を施すネイルプリント装置において、
印刷指を受け入れて当該印刷指の指先部を所定の位置に保持する印刷指位置決め部と、
前記印刷指位置決め部の両脇に設けられ、当該印刷指位置決め部によって前記印刷指を保持する際に当該印刷指に係る手における非印刷指を伸ばしたままの状態で受け入れ可能な非印刷指受入部と、
前記印刷指位置決め部及び前記非印刷指受入部に受け入れられた指の少なくとも指先部を載置する載置部と、
を備えていることを特徴とするネイルプリント装置である。
【発明の効果】
【０００７】
本発明によれば、印刷指が印刷指位置決め部によって保持されている間、非印刷指が伸ばしたままの状態で第１の非印刷指受入部に受け入れられるので、非印刷指に過度の負担が作用することはない。
また一方で、印刷指は勿論のこと、非印刷指が載置部に載置されるので、印刷指及び非印刷指の指先部を載置部に押し付けることで、印刷指を所定位置に安定して保持することができる。
【図面の簡単な説明】
【０００８】
【図１】本発明に係るネイルプリント装置の第１の実施形態の斜視図である。
【図２】図１のネイルプリント装置の装置本体の斜視図である。
【図３】図２の装置本体を正面側から見た場合の断面図である。
【図４】図２の装置本体を右側面側から見た場合の断面図である。
【図５】図１のネイルプリント装置の指受入部の図であり、（Ａ）は第１の指受入部の一部を切り欠いた平面図、（Ｂ）は印刷指位置決め部と第２の指受入部の一部を右側面側から見た場合の断面図、（Ｃ）は非印刷指受入部と第２の指受入部の一部を右側面側から見た場合の断面図である。
【図６】図１のネイルプリント装置の印刷指位置決め部と第２の指受入部の一部を右側面側から見た場合の断面図である。
【図７】本発明に係るネイルプリント装置の第２の実施形態の指受入部の図であり、（Ａ）は第１の指受入部の一部を切り欠いた平面図、（Ｂ）は印刷指位置決め部及び第２の指受入部の一部を右側面側から見た場合の断面図である。
【図８】本発明に係るネイルプリント装置の第３の実施形態の指受入部の図であり、（Ａ）は第１の指受入部の一部を切り欠いた平面図、（Ｂ）は印刷指位置決め部及び第２の指受入部の一部を右側面側から見た場合の断面図である。
【図９】本発明に係るネイルプリント装置の第４の実施形態の指受入部の図であり、図１のネイルプリント装置の第１の指受入部の図であり、（Ａ）は第１の指受入部の一部を切り欠いた平面図、（Ｂ）は印刷指位置決め部と第２の指受入部の一部を右側面側から見た場合の断面図、（Ｃ）は非印刷指受入部と第２の指受入部の一部を右側面側から見た場合の断面図である。
【図１０】本発明に係るネイルプリント装置の変形例の第１の指受入部の一部を切り欠いた平面図である。
【発明を実施するための形態】
【０００９】
図１から図６を参照しつつ、本発明に係るネイルプリント装置の第１の実施形態について説明する。
【００１０】
図１に示すように、このネイルプリント装置１は、ケース本体２及び蓋体４を備えている。
このうち蓋体４の内面には表示部６が設けられている。この表示部６は、例えば液晶パネル（液晶ディスプレイ（ＬＣＤ：Liquid Crystal Display））等で構成されている。この表示部６には、例えば、撮影した印刷指の指爪画像や、その指爪画像中の爪部、印刷指の輪郭線、印刷指の爪部に印刷すべきネイル画像パターン、デザイン確認用のサムネイル画像等が適宜に表示される。
この蓋体４は、ケース本体２の上面後端部に設けたヒンジ３を介して、当該ケース本体２と互いに連結されている。
【００１１】
一方、ケース本体２は平面視で長円状に形成されている。このケース本体２の前面には開閉板２ａが起倒可能に設けられている。この開閉板２ａは、ケース本体２の前面下端部に設けたヒンジ（図示せず）を介して、ケース本体２に連結されている。
【００１２】
このケース本体２の上面２ｂには操作盤５が設置されている。この操作盤５には、例えば、ネイルプリント装置１の電源をＯＮする電源スイッチ釦の他、各種の入力を行うための操作釦が配置されている。
【００１３】
また、ケース本体２には、図２に示すように、ネイルプリント装置１の装置本体１０が内部に設けられている。
この装置本体１０は、指受入部２０、撮影部３０及び印刷部４０を備えている。
また、装置本体１０の機枠１１は、下部機枠１１ａ及び上部機枠１１ｂによって構成されている。このうち下部機枠１１ａは箱状に形成され、内部空間の前方（手前側）が開口されている。この下部機枠１１ａはケース本体２の内部下方に設置されている。一方、上部機枠１１ｂは下部機枠１１ａの上方に設置されている。
【００１４】
上記指受入部２０は、上方の第１の指受入部２０ａと下方の第２の指受入部２０ｂから構成され、第１の指受入部２０ａと第２の指受入部２０ｂとの間は載置部２１によって区画されている。
【００１５】
このうち第１の指受入部２０ａの幅方向ほぼ中間には、図３及び図５に示すように、印刷指位置決め部２２が形成されている。この印刷指位置決め部２２には、前面（手前側）に開口する印刷指導入口２３が形成されている。この印刷指導入口２３は、図５（Ａ）、（Ｂ）に示すように、下側が載置部２１、両側が仕切り２２ａ，２２ｂ、奥側が爪突当て部２２ｃ、上側が下部機枠１１ａの天壁２２ｄによって区画されている。そして、下部機枠１１ａの天壁２２ｄには、印刷指導入口２３に挿入された印刷指の爪部を露出させるための窓２３ａが形成されている。
また、第１の指受入部２０ａにおける印刷指位置決め部２２の両隣には非印刷指受入部２４ａ，２４ｂが形成されている。この非印刷指受入部２４ａ，２４ｂは、人差し指、中指、薬指及び小指のいずれかの指が印刷指となる場合に使用される。
具体的には、図５（Ａ）、（Ｂ）に示すように左手の薬指を印刷指Ｕ１とする場合、ユーザが印刷指導入口２３に印刷指Ｕ１である薬指を挿入し、図５（Ａ）に示すように印刷指位置決め部２２の左隣の非印刷指受入部２４ａに非印刷指Ｕ２である小指を挿入し、一方、図５（Ａ）、（Ｃ）に示すように印刷指位置決め部２２の右隣の非印刷指受入部２４ｂに非印刷指Ｕ２である親指、人差し指及び中指を挿入する。
これを一般化すれば、人差し指、中指、薬指及び小指のいずれかの指である印刷指を印刷指導入口２３に挿入し、印刷指位置決め部２２の左隣の非印刷指受入部２４ａに印刷指よりも左側に位置する非印刷指を挿入し、印刷指位置決め部２２の右隣の非印刷指受入部２４ｂに印刷指よりも右側に位置する非印刷指を挿入する。
【００１６】
また、上記第２の指受入部２０ｂは載置部２１の下方に形成されている。この載置部２１には、図５（Ｂ）及び図６に示すように、上下に貫通する親指通し孔２５が形成されている。この親指通し孔２５は、印刷指導入口２３の直ぐ前方（手前）に形成されている。
そして、図６に示すように親指を印刷指Ｕ１とする場合、印刷指Ｕ１である親指に係る手の全ての指をまず第２の指受入部２０ｂに挿入した上で、印刷指Ｕ１である親指だけを親指通し孔２５に下方から挿入し、さらに、当該親指の指先部を印刷指導入口２３に挿入する。これによって、印刷指Ｕ１である親指以外の非印刷指Ｕ２である人差し指、中指、薬指及び小指は第２の指受入部２０ｂに留め置かれる。その際、第２の指受入部２０ｂに留め置かれた非印刷指Ｕ２は軽く握った状態となる。この場合、第２の指受入部２０ｂに留め置かれた非印刷指Ｕ２を伸ばした状態としてもよい。
なお、印刷指Ｕ１である親指の撮影処理や印刷処理を行う場合、印刷指Ｕ１と非印刷指Ｕ２との間で載置部２１を摘むことが好ましい。このようにすれば、印刷指Ｕ１を所定位置に安定して保持することができる。
【００１７】
また、撮影部３０は、図２〜図４に示すように、機枠１１の中の上部機枠１１ｂに設けられている。すなわち、上部機枠１１ｂに設置された基板３１の中央部下面にはカメラ３２が設置されている。また、基板３１には、カメラ３２を囲むように白色ＬＥＤ等の照明灯３３が設置されている。
この撮影部３０は、印刷指導入口２３に挿入され窓２３ａから露出する印刷指を照明灯３３によって照明し、カメラ３２によってその印刷指を撮影して、指爪画像を得る撮影手段である。
【００１８】
また、印刷部４０は、印刷用データに従って印刷指の爪部に画像の印刷を施す印刷手段である。この印刷部４０の主要部分は上部機枠１１ｂに設けられている。
具体的には、上部機枠１１ｂの両側板には、図２に示すように、２本のガイドロッド４１が平行に架設されている。このガイドロッド４１には、主キャリッジ４２が摺動自在に設置されている。また、図４に示すように、主キャリッジ４２の前壁４２ａおよび後壁４２ｂには２本のガイドロッド４３が平行に架設されている。このガイドロッド４３には、副キャリッジ４４が摺動自在に設置されている。この副キャリッジ４４の下面中央部には、印刷ヘッド４５が搭載されている。この印刷ヘッド４５は、特に限定はされないが、インクを微滴化し、被印字媒体に対し直接に吹き付けて印刷を行うインクジェット方式の印刷ヘッドである。
また、上記主キャリッジ４２は、動力伝達手段（図示せず）を介してモータ４６に連結され、モータ４６の正逆回転によって、ガイドロッド４１に沿って左右方向に移動する。また、副キャリッジ４４は、動力伝達手段（図示せず）を介してモータ４７に連結され、モータ４７の正逆回転によって、ガイドロッド４３に沿って前後方向に移動する。
また、下部機枠１１ａには、印刷ヘッド４５にインクを供給するためのインクカートリッジ４８が設けられている。このインクカートリッジ４８は、図示しないインク供給管を介して印刷ヘッド４５と接続されており、適宜印刷ヘッド４５にインクを供給する。
また、下部機枠１１ａの上部側面と上部機枠１１ｂの側板との間には、印刷ヘッド４５の移動域に面してヘッドクリーニング手段４９が配設されている。
【００１９】
このように構成されたネイルプリント装置１によれば、以下の効果が得られる。
すなわち、印刷指が印刷指位置決め部２２によって保持されている間、非印刷指が伸ばしたままの状態で第１の非印刷指受入部２４ａ，２４ｂに受け入れられるので、非印刷指に過度の負担が作用することはない。
また一方で、印刷指は勿論のこと、非印刷指が載置部２１に載置されるので、印刷指及び非印刷指の指先部を載置部２１に押し付けることで、印刷指を所定位置に安定して保持することができる。
また、どの指を印刷指とする場合にも、印刷指の爪部を印刷指導入口２３の同じ深さ位置に保持できることから、印刷指を撮影する撮影手段の撮影範囲、印刷指に印刷を施す印刷ヘッド４５の印刷動作範囲を小さくすることができる。
また、親指通し部２５が形成されているので、印刷指となる親指を印刷指導入口２３に対して十分深く挿入することができる。
【００２０】
図７は、第２の実施形態のネイルプリント装置の載置部を示したものである。
図７（Ａ）に示すように、このネイルプリント装置１の載置部５１は、指先部を載置する載置板５１ａと、この載置板５１ａの手前側に位置し指の付け根部又は根元部を載置する載置バー５１ｂと、載置板５１ａと載置バー５１ｂとの間に形成された親指通し部５１ｃとを備えている。
そして、載置板５１ａには、印刷指導入口５２ａを有する印刷指位置決め部５２が設けられ、印刷指位置決め部５２の両隣には非印刷指受入部５３ａ，５３ｂが形成されている。これら印刷指位置決め部５２及び非印刷指受入部５３ａ，５３ｂは第１の指受入部５０ａを構成している。
このうち非印刷指受入部５３ａ，５３ｂは、人差し指、中指、薬指及び小指のいずれかの指が印刷指となる場合に使用される。
すなわち、このネイルプリント装置１では、例えば、印刷指導入口５２ａに人差し指、中指、薬指及び小指のいずれかの指である印刷指を挿入し、印刷指位置決め部５２の左隣の非印刷指受入部５３ａに印刷指よりも左側に位置する非印刷指を挿入し、印刷指位置決め部５２の右隣の非印刷指受入部５３ｂに印刷指よりも右側に位置する非印刷指を挿入する。そして、印刷指及び非印刷指の付け根部又は根元部を載置板５１ａと載置バー５１ｂとに載置する。
【００２１】
また、載置部５１の下方には、図７（Ｂ）に示すように、第２の指受入部５０ｂが形成されている。この第２の指受入部５０ｂは、印刷指が親指である場合に、非印刷指を受け入れるためのものである。さらに、載置板５１ａと載置バー５１ｂとの間に位置する親指通し部５１ｃは、印刷指導入口５２ａの直ぐ前方（手前）に形成されている。そして、親指通し部５１ｃに下方から印刷指である親指が挿入された後、当該親指の指先部が印刷指導入口５２ａに挿入される。
【００２２】
その他の構成は、この第２の実施形態は第１の実施形態と同様となっている。したがって、この第２の実施形態のその他の構成については、その説明を省略する。
【００２３】
この第２の実施形態のネイルプリント装置１によれば、以下の効果が得られる。
すなわち、この第２の実施形態のネイルプリント装置１によれば、人差し指、中指、薬指及び小指のいずれかの指が印刷指となる場合、載置板５１ａと、当該載置板５１ａとは離間した載置バー５１ｂとに印刷指及び非印刷指の付け根部又は根元部が載置されるので、指先部に力を入れやすくなり、印刷指を安定して支持することができる。
【００２４】
図８は、第３の実施形態のネイルプリント装置の載置部を示したものである。
図８（Ａ）に示すように、このネイルプリント装置１の載置部６１は、指先部を載置する載置板６１ａと、この載置板６１ａの手前側に位置し指の付け根部又は根元部を載置する載置バー６１ｂと、載置板６１ａと載置バー６１ｂとの間に形成された親指通し部６１ｃとを備えている。
そして、載置板６１ａには、印刷指導入口６２ａを有する印刷指位置決め部６２が設けられ、印刷指位置決め部６２の両隣には非印刷指受入部６３ａ，６３ｂが形成されている。これら印刷指位置決め部６２及び非印刷指受入部６３ａ，６３ｂは第１の指受入部６０ａを構成している。
このうち非印刷指受入部６３ａ，６３ｂは、人差し指、中指、薬指及び小指のいずれかの指が印刷指となる場合に使用される。
【００２５】
また、載置部６１の下方には第２の指受入部６０ｂが形成されている。この第２の指受入部６０ｂは、印刷指が親指である場合に、非印刷指を受け入れるためのものである。さらに、載置板６１ａと載置バー６１ｂとの間に位置する親指通し部６１ｃは、印刷指導入口６２ａの直ぐ前方（手前）に形成されている。そして、この親指通し部６１ｃに下方から印刷指である親指が挿入された後、当該親指の指先部が印刷指導入口６２ａに挿入される。
【００２６】
以上の構成は第３の実施形態は第２の実施形態と共通している。しかし、この第３の実施形態は第２の実施形態と次の点で相違している。
すなわち、第３の実施形態では、載置バー６１ｂの両端がアーム６３の一端に連結され、アーム６３の他端が軸６３ａによって下部機枠１１ａの側板に回動自在に支持されている。また、アーム６３と下部機枠１１ａの側板には、凹凸係合による位置決め手段６４が形成されている。これによって、図８（Ｂ）に示すように載置バー６１ｂが突出した状態に維持される。そして、ネイルプリント装置１を使用しないときには、載置バー６１ｂ及びアーム６３が第２の指受入部６０ｂ内、つまり下部機枠１１ａ内に収容される。
【００２７】
この第３の実施形態のネイルプリント装置１によれば、以下の効果が得られる。
すなわち、この第３の実施形態のネイルプリント装置１によれば、第２の実施形態と同様の効果が得られることは勿論のこと、ネイルプリント装置１を使用しないときには、載置バー６１ｂ及びアーム６３が第２の指受入部６０ｂ内、つまり下部機枠１１ａ内に収容可能であるので、ネイルプリント装置１を小型化できることになる。
【００２８】
図９は、第４の実施形態のネイルプリント装置の載置部を示したものである。
図９（Ａ）に示すように、このネイルプリント装置１は、指先部を載置する固定の載置板７１ａと、この載置板７１ａの手前側に位置し指の付け根部又は根元部を載置する可動載置板７１ｂとを備えている。
そして、載置板７１ａには、印刷指導入口７２ａを有する印刷指位置決め部７２が設けられ、印刷指位置決め部７２の両隣には非印刷指受入部７３ａ，７３ｂが形成されている。これら印刷指位置決め部７２及び非印刷指受入部７３ａ，７３ｂは第１の指受入部７０ａを構成している。
ここで、可動載置板７１ｂは、載置板７１ａに形成した凹部７１ｃに出退自在に収容されている。そして、載置板７１ａと可動載置板７１ｂには、凹部７３ａと、板ばねによって形成した凸部７３ｂとによって構成された係止手段７３が配設されている。なお、この可動載置板７１ｂに親指通し部を形成してもよい。
【００２９】
また、載置部７１の下方には第２の指受入部７０ｂが形成されている。この第２の指受入部７０ｂは、印刷指が親指である場合に、非印刷指を受け入れるためのものである。
【００３０】
このネイルプリント装置１では、人差し指、中指、薬指及び小指のいずれかの指が印刷指となる場合、図９（Ｃ）に示すように、載置板７１ｂを載置板７１ａから引き出して使用する。
一方、このネイルプリント装置１では、親指が印刷指となる場合、図９（Ｂ）に示すように、載置板７１ｂを載置板７１ａに収納し、印刷指である親指を印刷指導入口７２ａに挿入し、他の指を載置板７１ａの下方に形成される第２の指受入部７０ｂに収容する。
【００３１】
この第４の実施形態のネイルプリント装置１によれば、以下の効果が得られる。
すなわち、この第４の実施形態のネイルプリント装置１によれば、第３の実施形態と同様に、ネイルプリント装置１を使用しないときには、載置板７１ｂが下部機枠１１ａ内に収容可能であるので、ネイルプリント装置１を小型化できることになる。
【００３２】
以上、本発明の実施形態について説明したが、本発明は、かかる実施形態に限定されるものではなく、種々の変形が可能である。
例えば、上記実施形態では、１つの印刷指導入口２３，５２ａ，６２ａ，７２ａを保持する印刷指位置決め部２２，５２，６２，７２を設けているが、図１０に示すように、２つの印刷指挿入口８２ａ，８２ｂを有する印刷指位置決め部８２を設けてもよい。
この場合には、両手の親指を一度機に印刷する場合には、両手の親指の側面同士をつきあわせるようにして下方から親指通し部８１ｃに挿入した後、当該親指の印刷指挿入口８２ａ，８２ｂに挿入し、両手のそれ以外の非印刷指を載置板８１ａ下方の第２の指受入口（図示せず）に挿入する。
また、両手の人差し指を一度機に印刷する場合には、両手の親指の上面同士をつきあわせるようにして上方から親指通し部８１ｃに挿入した後、両手の他の非印刷指を非印刷指受入口に挿入するようにする。
【００３３】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
手の一部の指を印刷指として当該印刷指の爪部にネイル印刷を施すネイルプリント装置において、
印刷指を受け入れて当該印刷指の指先部を所定の位置に保持する印刷指位置決め部と、
前記印刷指位置決め部の両脇に設けられ、当該印刷指位置決め部によって前記印刷指を保持する際に当該印刷指に係る手における非印刷指を伸ばしたままの状態で受け入れ可能な非印刷指受入部と、
前記印刷指位置決め部及び前記非印刷指受入部に受け入れられた指の少なくとも指先部を載置する載置部と、
を備えていることを特徴とするネイルプリント装置。
＜請求項２＞
前記載置部には、上下に貫通し下方から印刷指である親指を挿通可能で且つ挿通した当該親指を前記印刷指位置決め部にて保持可能とする位置に親指通し部が形成され、
前記載置部の下方には、前記印刷指位置決め部によって前記印刷指を保持する際に、当該印刷指に係る手における非印刷指を受け入れ可能な他の非印刷指受入部が形成されていることを特徴とする請求項１に記載のネイルプリント装置。
＜請求項３＞
前記載置部は、指先部が載置される載置板と、指の付け根部又は根元部が載置される載置バーとを備え、前記載置板と前記載置バーとの間に前記親指通し部が形成されていることを特徴とする請求項２に記載のネイルプリント装置。
【符号の説明】
【００３４】
１    ネイルプリント装置
２    ケース本体
２０    指受入部
２０ａ，５０ａ，６０ａ，７０ａ    第１の指受入部
２０ｂ，５０ｂ，６０ｂ，７０ｂ    第２の指受入部（非印刷指受入部）
２２    印刷指位置決め部
２３    印刷指導入口
２４ａ，２４ｂ，５３ａ，５３ｂ，６３ａ，６３ｂ，７３ａ，７３ｂ    非印刷指受入部
２５，５１ｃ，６１ｃ，８１ｃ    親指通し部
Ｕ１    印刷指
Ｕ２    非印刷指
【図１】
0005321650.tif 000002
【図２】
0005321650.tif 000003
【図３】
0005321650.tif 000004
【図４】
0005321650.tif 000005
【図５】
0005321650.tif 000006
【図６】
0005321650.tif 000007
【図７】
0005321650.tif 000008
【図８】
0005321650.tif 000009
【図９】
0005321650.tif 000010
【図１０】
0005321650.tif 000011